(57)【要約】【課題】簡単な構造を有し、従来のものに比べて部品点数を減らすことができ、接地を強化することができるジャックを用いることで、前記ジャックに漏れる妨害電力をリアパネルに導通させ、妨害電力によるノイズや機器の障害等の不具合を低減することができる電子機器を提供する。【解決手段】内側に折り曲げられて形成される連結部２１と、連結部２１の先端の一部をシャーシ１に向かって折り曲げられて形成されるリブ部２２と、さらにリブ部２２の先端がリアパネル２と反対側に折り曲げられて形成される支持部２３とを有しており、支持部２３は雌ねじ２３１を有しており、導電性を有するボルトＢｔの少なくとも一部がプリント基板５の接地パターン５２１と接触するようにプリント基板５と支持部２３とを共締めした電子機器Ａ。【選択図】図２
2007188562.tif 000002
【特許請求の範囲】
【請求項１】
シャーシと、
前記シャーシの後部に該シャーシに対して垂直に立設され、導電性を有するとともに接地されたリアパネルと、
前記リアパネルの内側に前記シャーシと平行に且つ該シャーシと離れて配置されるプリント基板と、
前記リアパネルを貫通し前記プリント基板に実装固定される２１ピンジャックと、
前記シャーシ内に配置されビデオカセットを記録媒体とするＶＴＲ記録再生部と、
前記シャーシ内に配置されＤＶＤを記録媒体とするＤＶＤ記録再生部とを備えたＶＴＲ一体型ＤＶＤレコーダであって、
前記リアパネルは、前記シャーシと反対側の端部が内側に折り曲げられて形成される連結部と、前記連結部の先端の一部が該連結部よりも長く形成されており前記シャーシに向かって折り曲げられて形成される２個のリブ部と、さらに前記リブ部の先端が前記リアパネルと反対側に折り曲げられて形成される支持部とを有しており、
前記支持部は該支持部と一体的に形成された雌ねじを有しており、
前記プリント基板は前記支持部の前記シャーシと反対側の面と接触して配置されるものであり、前記雌ねじと螺合するボルトが貫通する２個のボルト孔と、前記ジャックが実装される面と反対側の面に前記ボルト孔を囲んで形成されるとともに前記ジャックに備えられる接地端子がはんだ付けされる接地パターンとを有しており、
前記ジャックが実装固定された前記プリント基板を該ジャックが固定された面と前記支持部の前記シャーシと反対側の面とが接触するように配置し、導電性を有するボルトの少なくとも一部が前記接地パターンと接触するように前記ボルト孔を貫通するとともに前記雌ねじと螺合させて、前記プリント基板に固定されたジャックを前記リアパネルに取り付けることを特徴とするＶＴＲ一体型ＤＶＤレコーダ。
【請求項２】
シャーシと、
前記シャーシの後部に該シャーシに対して垂直に立設され、導電性を有するとともに接地されたリアパネルと、
前記リアパネルの内側に該リアパネルと垂直且つ前記シャーシと離れて配置されるプリント基板と、
前記リアパネルを貫通し前記プリント基板に実装固定されるジャックとを備えた電子機器であって、
前記リアパネルには、前記シャーシと反対側の端部より内側に突出し該リアパネルと導通状態で接続する連結部と、前記連結部の先端より前記シャーシに向けて突出し該連結部と導通状態で接続する少なくとも１個のリブ部と、前記リブ部から前記リアパネルの反対側に突出し前記リブ部と導通状態で接続する支持部とが形成され、
前記支持部には該支持部と導通状態で形成される雌ねじを有しており、
前記プリント基板には前記雌ねじと螺合するが貫通するボルト孔と、前記ボルト孔の回りに配置され前記ジャックに備えられる接地端子がはんだ付けされる接地パターンが形成され、
前記ジャックが実装固定された前記プリント基板を前記支持部の前記シャーシと反対側の面と接触するように配置し、導電性を有するボルトを前記ボルト孔を貫通させるとともに前記雌ねじと螺合させて、前記プリント基板と前記支持部とを共締めすることで、前記プリント基板に固定された前記ジャックを前記リアパネルに取り付けることを特徴とする電子機器。
【請求項３】
前記プリント基板の前記ジャックが固定された面と前記支持部の前記シャーシと反対側の面とが接触するように配置し導電性を有するボルトの少なくとも一部が前記接地パターンと背食するように前記プリント配線基板と前記接地部とを共締めすることを特徴とする請求項２に記載の電子機器。
【請求項４】
前記プリント基板の前記接地パターンと前記支持部の前記シャーシと反対側の面とを直接接触するように配置しボルトにて共締めすることを特徴とする請求項２に記載の電子機器。
【発明の詳細な説明】
【技術分野】
【０００１】
本発明はＶＴＲ一体型ＤＶＤレコーダ、ＴＶ受像機等の電子機器の基板に取り付けられるジャックの接地を行い、ジャックへの妨害電力をリアパネルに導通させて妨害電力による不具合の発生を抑制することができる電子機器に関するものである。
【背景技術】
【０００２】
ＶＴＲ、ＤＶＤ等の電子機器はケーブルを接続するためのジャックを備えている。前記ジャックに接続されたケーブルを介して外部からの信号の入力及び外部への信号の出力を行っている。前記ケーブルより信号が入出力されるときに発生する妨害電力による電子機器への障害やデータノイズの発生等の障害が発生することがある。この障害の対策として前記ジャックを電子機器の金属製のシャーシに接地することが行われている。前記ジャックを接地することで、前記妨害電力による不具合の発生を低減している。
【０００３】
図６に従来のＶＴＲ一体型ＤＶＤレコーダの背面図を示す。図６に示すＶＴＲ一体型ＤＶＤレコーダＣはシャーシ９１と、リアパネル９２と、シャーシ９１の上に配置されるメイン基板９３と、リアパネル９２に取り付けられメイン基板９３に実装固定される第１ジャック９４と、リアパネル９２に取り付けられる第２ジャック９５と、第２ジャック９５が実装固定されるサブ基板９６とを有している。シャーシ９１はＶＴＲ一体型ＤＶＤレコーダＣの土台になるものであり、樹脂の一体成型にて製造される。シャーシ９１には複数の電子部品を搭載したメイン基板９３やＶＴＲユニット、ＤＶＤユニット等が取付固定されるものである。
【０００４】
リアパネル９２は金属板をプレス加工にて切曲げて製造されたものであり、図示を省略した電源貫通装置を介して接地されている。背面パネル９２には、第１ジャック９４、第２ジャック９５、冷却用ファンＣｆ及びチューナＴ等が取り付けられている。
【０００５】
第１ジャック９４及び第２ジャック９５は２１個のピンを有する２１ピンのジャックでありＲＧＢ信号をやり取りするためのジャックであると同時に、ケーブルにて接続された機器を総合的に制御するための制御信号のやり取りも行われる。例えば、図示を省略したＴＶ受像機と接続されている場合、ＴＶ受像機、ＶＴＲ一体型ＤＶＤレコーダＣのいずれの電源もＯＦＦの状態でＶＴＲ一体型ＤＶＤレコーダＣの電源が投入されると、ジャック及びジャックに接続されたケーブルを介してＴＶ受像機に制御信号が送られＴＶ受像機がＯＮになり、ＶＴＲ一体型ＤＶＤレコーダＣからのＲＧＢ信号をもとに、映像を表示するものである。それ以外にも、制御信号をやり取りすることで、複数の電子機器を制御することができるものである。
【０００６】
第１ジャック孔９２１は上述したとおりリアパネル２のシャーシ１に近い部分（図６では下端部近傍）に形成されており、第１ジャック９４はピン９４１がリアパネル９２の外部に露出するように配置されるとともに、樹脂で形成されたケース９４２に覆われ、ピン９４１と連結する端子がメイン基板９３にはんだ付けされて実装固定されるものである。
【０００７】
第２ジャック９５は樹脂で形成されたケース９５１に覆われており、ケース９５１の外部を覆うアースプレート９５２とを備えている。第２ジャック９５はピン９５３がリアパネル９２の外部に露出するように配置されるとともに、ピン９５３と連結する端子が、サブ基板９６にはんだ付けされて実装固定されている。第２ジャック９５はアースプレート９５２をボルトＢｔでリアパネル９２に共締めすることで、第２ジャック９５への妨害電力をアースプレート９５２を介してリアパネル９２に導通さている。
【０００８】
また、例えば、特開２００５−５０６８２号公報に示す発明や、実開平６−７１６８号公報に示す考案にも同様に、接地用の部材を用いてジャックを接地するものが開示されている。
【特許文献１】特開２００５−５０６８２号
【特許文献２】実開平６−７１６８号公報
【発明の開示】
【発明が解決しようとする課題】
【０００９】
しかしながら、図６に示す第２ジャック９５では接地のためにアースプレート９５２を別途用意しなくてはならず、部品点数が多く、構造が複雑になる。また、ケース９５１にアースプレート９５２を取り付ける手間及びアースプレート９５２の一部をサブ基板９６の接地パターンにはんだ付けする手間も必要であり、それだけ、第２ジャック９５の取り付けに手間と時間がかかる。
【００１０】
また、特開２００５−５０６８２号公報に示す発明や、実開平６−７１６８号公報に示す考案も同様に、接地用の部材を用いてジャックを接地しているので、部品点数が多く、構造が複雑になり、製造、組み立てに手間と時間がかかりコストアップの要因になる。
【００１１】
通常、電子機器の製造ラインでは、ドライバ等の工具を該電子機器の上部から挿入し、製造するものであるが、アースパネル９５２を利用する場合、ケース９５１をリアパネル９２にボルトＢｔで共締めするので、リアパネル９２側から取り付け作業を行わなくてはならず、組立工具のアクセス方向が移動し、それだけ、手間がかかる。
【００１２】
そこで本発明は、簡単な構造を有し容易に取り付けることができ、接地を強化することができるジャックを用いることで、前記ジャックに漏れる妨害電力をリアパネルに導通させ、妨害電力によるノイズや機器の障害等の不具合を低減することができる電子機器を提供することを目的とする。
【００１３】
また本発明は、従来のものに比べて部品点数を減らすことができ、組み立て工具を電子機器に対して一定方向よりアクセスするようにでき、それだけ、製造時の手間及び時間を削減することができる電子機器を提供することを目的とする。
【課題を解決するための手段】
【００１４】
上記目的を達成するために本発明は、シャーシと、前記シャーシの後部に該シャーシに対して垂直に立設され、導電性を有するとともに接地されたリアパネルと、前記リアパネルの内側に前記シャーシと平行に且つ該シャーシと離れて配置されるプリント基板と、前記リアパネルを貫通し前記プリント基板に実装固定される２１ピンジャックと、前記シャーシ内に配置されビデオカセットを記録媒体とするＶＴＲ記録再生部と、前記シャーシ内に配置されＤＶＤを記録媒体とするＤＶＤ記録再生部とを備えたＶＴＲ一体型ＤＶＤレコーダであって、前記リアパネルは、前記シャーシと反対側の端部が内側に折り曲げられて形成される連結部と、前記連結部の先端が前記シャーシに向かって折り曲げられて形成されるリブ部と、前記リブ部の先端に他の部分よりも長く形成されるとともに前記リアパネルと反対側に折り曲げられて形成される２個の支持部とを有しており、前記支持部は該支持部と一体的に形成された雌ねじを有しており、前記プリント基板は前記支持部の前記シャーシと反対側の面と接触して配置されるものであり、前記雌ねじと螺合するボルトが貫通する２個のボルト孔と、前記ジャックが実装される面と反対側の面に前記ボルト孔を囲んで形成されるとともに前記ジャックに備えられる接地端子がはんだ付けされる接地パターンとを有しており、前記ジャックが実装固定された前記プリント基板を該ジャックが固定された面と前記支持部の前記シャーシと反対側の面とが接触するように配置し、導電性を有するボルトの少なくとも一部が前記接地パターンと接触するように前記ボルト孔を貫通するとともに前記雌ねじと螺合させて、前記プリント基板に固定されたジャックを前記リアパネルに取り付けることを特徴とする。
【００１５】
この構成によると、接地部材を取り付けることなく、前記ジャックへの妨害電力を前記リアパネルに導通させることができ、構成物品を減らすことができる。これにより、製造及び組み立てにかかる手間及び時間を削減することができる。また、前記ボルトの取付方向を上部より行うことができるので製造の流れを切り替えなくても良く、それだけ、製造時の手間及び時間を削減することができる。これらのことより、最終的な製品のコストを低減することができる。
【００１６】
また、前記ジャックへの妨害電力を確実に前記リアパネルに導通させることができるので、該妨害電力によるノイズ、機器の障害等の不具合の発生を低減することができ、それだけ、前記ジャックを介してやり取りされる信号の正確性を高めることができるとともに、録画又は再生されるコンテンツの質の低下を抑制することが可能である。
【００１７】
さらに上記目的を達成するために本発明は、シャーシと、前記シャーシの後部に該シャーシに対して垂直に立設され、導電性を有するとともに接地されたリアパネルと、前記リアパネルの内側に該リアパネルと垂直且つ前記シャーシと離れて配置されるプリント基板と、前記リアパネルを貫通し前記プリント基板に実装固定されるジャックとを備えた電子機器であって、前記リアパネルには、前記シャーシと反対側の端部より内側に突出し該リアパネルと導通状態で接続する連結部と、前記連結部の先端より前記シャーシに向けて突出し該連結部と導通状態で接続するリブ部と、前記リブ部から前記リアパネルの反対側に突出し前記リブ部と導通状態で接続する少なくとも１個の支持部とが形成され、前記支持部には該支持部と導通状態で形成される雌ねじを有しており、前記プリント基板には前記雌ねじと螺合するが貫通するボルト孔と、前記ボルト孔の回りに配置され前記ジャックに備えられる接地端子がはんだ付けされる接地パターンが形成され、前記ジャックが実装固定された前記プリント基板を前記支持部の前記シャーシと反対側の面と接触するように配置し、導電性を有するボルトを前記ボルト孔を貫通させるとともに前記雌ねじと螺合させて、前記プリント基板と前記支持部とを共締めすることで、前記プリント基板に固定された前記ジャックを前記リアパネルに取り付けることを特徴とする。
【００１８】
この構成によると、接地部材を取り付けることなく、前記ジャックへの妨害電力を前記リアパネルに導通させることができ、構成物品を減らすことができる。これにより、製造及び組み立てにかかる手間及び時間を削減することができる。また、前記ボルトの取付方向を上部より行うことができるので製造の流れを切り替えなくても良く、それだけ、製造時の手間及び時間を削減することができる。これらのことより、最終的な製品のコストを低減することができる。
【００１９】
また、前記ジャックへの妨害電力を確実に前記リアパネルに導通させることができるので、該妨害電力によるノイズ、機器の障害等の不具合の発生を低減することができ、それだけ、前記ジャックを介してやり取りされる信号の正確性を高めることができるとともに、録画又は再生されるコンテンツの質の低下を抑制することが可能である。
【００２０】
上記構成において前記プリント基板の前記ジャックが固定された面と前記支持部の前記シャーシと反対側の面とが接触するように配置し導電性を有するボルトの少なくとも一部が前記接地パターンと接触するように前記プリント配線基板と前記接地部とを共締めするものであっても良く、前記プリント基板の前記接地パターンと前記支持部の前記シャーシと反対側の面とを直接接触するように配置しボルトにて共締めするものであってもよい。
【００２１】
前記プリント配線基板の前記接地パターンと前記支持部の前記シャーシと反対側の面とを直接接触するように配置するものの場合、ボルトの導電性能にかかわらず、前記接地パターンと前記支持部とを安定して導通状態に接続することができるのでより上述したような妨害電力による障害が発生しにくい。
【発明の効果】
【００２２】
本発明によると、簡単な構造を有し容易に取り付けることができ、接地を強化することができるジャックを用いることで、前記ジャックに漏れる妨害電力をリアパネルに導通させ、妨害電力によるノイズや機器の障害等の不具合を低減することができる電子機器を提供することができる。
【００２３】
また本発明によると、従来のものに比べて部品点数を減らすことができ、組み立て工具を電子機器に対して一定方向よりアクセスするようにでき、それだけ、製造時の手間及び時間を削減することができる電子機器を提供することができる。
【発明を実施するための最良の形態】
【００２４】
以下に本発明の実施形態を図面を参照して説明する。図１にＶＴＲ一体型ＤＶＤレコーダの斜視図を、図２に本発明にかかるＶＴＲ一体型ＤＶＤレコーダ背面図を、図３に図２に示すＶＴＲ一体型ＤＶＤレコーダの断面図を、図４に図２に示すＶＴＲ一体型ＤＶＤレコーダの要部を拡大した平面図を示す。
【００２５】
図１、図２、図３に示すＶＴＲ一体型ＤＶＤレコーダＡは記録メディアにＤＶＤを採用するＤＶＤレコーダと記録メディアにビデオカセット（Ｖｃ）を採用するＶＴＲとのハイブリッド型の電子機器である。ＶＴＲ一体型ＤＶＤレコーダＡは少なくともシャーシ１と、リアパネル２と、メイン基板３と、リアパネル２に取り付けられた第１ジャック９４及び第２ジャック４と、プリント基板５とを有している。シャーシ１はＶＴＲ一体型ＤＶＤレコーダＡの土台になるものであり、樹脂の一体成型にて製造される。シャーシ１には複数の電子部品を搭載したメイン基板３やＶＴＲユニット６、ＤＶＤユニット７が取付固定されるものである。
【００２６】
リアパネル２はシャーシ１の後部にシャーシ１に対して垂直に立設されるものであり、金属板をプレス加工にて切曲げて製造され、図示を省略した電源装置を介して接地されている。リアパネル２には、第１ジャック９４及び第２ジャック４と、冷却用ファンＣｆ、チューナＴ、プリント基板５等が取り付けられている。
【００２７】
リアパネル２のシャーシ１と反対側の端部２０はリアパネル２の内側に折り曲げて形成され、シャーシ１と対向するように上面パネル１０を載置する連結部２１と、連結部２１の一部（ここでは２箇所）の先端を前記シャーシ１に向けて折り曲げて形成されるリブ部２２と、さらにリブ部２２の先端をリアパネル２と反対側に折り曲げられて形成される支持部２３とが形成されている。またリアパネル２には、第１ジャック９４の一部が貫通する第１ジャック孔２４及び第２ジャック４の一部が貫通する第２ジャック孔２５とが形成されている。支持部２３には後述するボルトＢｔと螺合する雌ねじ２３１が形成されている。
【００２８】
図２、図３、図４に示す第１ジャック９４及び第２ジャック４はそれには限定されないがここでは２１ピンジャックである。第１ジャック９４、第２ジャック４はＲＧＢ信号をやり取りするためのジャックであると同時に、ケーブルにて接続された機器を総合的に制御するための制御信号のやり取りも行われる。例えば、ＴＶ受像機とＶＴＲが接続されており、ＴＶ受像機、ＶＴＲいずれの電源もＯＦＦの状態でＶＴＲの電源が投入されると、ジャック及びジャックに接続されたケーブルを介してＴＶ受像機に制御信号が送られＴＶ受像機がＯＮになり、ＶＴＲからのＲＧＢ信号をもとに、映像を表示するものである。それ以外にも、簡単な制御を行うことができるものである。
【００２９】
第１ジャック９４は従来のＶＴＲ一体型ＤＶＤレコーダＢに取り付けられている第１ジャック９４と同じであり、詳細な説明は省略する。
【００３０】
第２ジャック４は樹脂で形成されたケース４１に覆われている。第２ジャック４は２１本のピン４２と接続した端子４３を備えており、その端子をプリント基板５に形成されているスルーホール５１に挿入し、端子４３の突出した部分とプリント基板５の配線パターン５２とをはんだ付けすることで、実装されている。また、ケース４１には、かぎ状のアーム部４１１が２個互いに対向して形成されている。アーム部４１１は弾性変形可能であり、アーム部４１１同士の距離を広げてプリント基板５の後述する係合部５３と係合することで、プリント基板５から第２ジャック４が脱離しにくく且つ端子に無理な力がかかりにくくなっている。
【００３１】
図４に示すように、プリント基板５は平面視（平面から見て）矩形状を有する配線基板であり、第２ジャック４の端子４３が貫通するスルーホール５１と、配線パターン５２と、ケース４１のアーム部４１１が係合する係合部５３と、ボルトＢｔが貫通するボルト孔５４とが形成されている。係合部５３はそれには限定されないが、ここでは第２ジャック４を配線パターン５２が形成されているのと反対側の面より取り付けるときに、アーム部４１１と重なる位置に形成された切り欠きである。配線パターン５２は模式的に表したものであり、実際の構造とは必ずしも一致しない。
【００３２】
プリント基板５の配線パターン５２には第２ジャック４に備えられる端子のうち接地される接地端子が接続される接地パターン５２１が備えられており、ボルト孔５４はプリント基板５及び接地パターン５２１を貫通するように形成されている。ボルト孔５４は、第２ジャック４及びプリント基板５をリアパネル２の所定の取付位置に配置したときに支持部２３に形成された雌ねじ２３１と重なる位置に形成されるものである。
【００３３】
第２ジャック４はプリント基板５の配線パターン５２が形成されているのと反対側に配置される。このとき、ケース４１に備えられたアーム部４１１がプリント基板５の係合部５３と係合するとともに、端子をスルーホールを貫通させ、貫通した部分と配線パターン５２とをはんだ付けにて接続する。第２ジャック４及び第２ジャック４が実装されたプリント基板５を、第２ジャック４のピン４２がリアパネル２に形成された第２ジャック孔２５より外部に露出するようリアパネル２に配置する。このとき、プリント基板５の第２ジャック４が実装固定された面が支持部２３のシャーシ１と反対側の面と接触する。
【００３４】
このように、第２ジャック４及びプリント基板５をリアパネル２に配置した状態で、導電性を有するボルトＢｔをボルト孔５４を貫通するとともに雌ねじ２３１と螺合させる。このとき、ボルトＢｔの頭がボルト孔５４を囲むように形成される接地パターン５２１と接触し、互いに導通状態になるように接続される。また、ボルトＢｔと雌ねじ２３１も螺合によって互いに導通状態になるように接続される。
【００３５】
ボルトＢｔの頭と接地パターン５２１とが導通状態になるように接触し、雌ねじ２３１とボルトＢｔとが導通状態になるように螺合することで、接地パターン５２１とリアパネル２とが導通状態になる。また、接地パターン５２１と第２ジャック４の接地端子４３１が導通状態になるように接続されているので、第２ジャック４への妨害電力を、第２ジャック４の接地端子４３１、プリント基板５の接地パターン５２１及びボルトＢｔを介して支持部２３、ひいてはリアパネル２に導通させることができるので、第２ジャック４への妨害電力によって引き起こされるノイズ、機器の障害等の不具合を抑制することができる。
【００３６】
図５に本発明にかかるＶＴＲ一体型ＤＶＤレコーダの他の例の背面図を示す。図５に示すＶＴＲ一体型ＤＶＤレコーダＢは、第２ジャック４ｂが異なる以外は図２に示すＶＴＲ一体型ＤＶＤレコーダＡと同じ構成であり、実質上同じ部分には同一の符号が付してある。
【００３７】
図５に示すＶＴＲ一体型ＤＶＤレコーダＢは、第２ジャック４ｂ及び第２ジャック４ｂが実装されたプリント基板５とを、第２ジャック４ｂのピン４２ｂがリアパネル２に形成された第２ジャック孔２５より外部に露出するようリアパネル２に配置したときに、プリント基板５の接地パターン５２が形成された面が支持部２３のシャーシ１と反対側の面と接触するよう配置するものである。
【００３８】
このように、支持部２３と接地パターン５２１は互いに導通状態になるように直接接触させ、支持部２３とプリント基板５とをボルトＢｔにて共締めする。接地パターン５２１と支持部２３とを互いに導通状態になるよう、直接接触させて配置しているので、第２ジャック４ｂへの妨害電力は、第２ジャック４ｂの接地端子４３１、接地パターン５２１、支持部２３を介してリアパネル２に導通されるので、妨害電力によるノイズ、機器の障害等の不具合が発生するのを抑制することができる。
【００３９】
このように、プリント基板５の接地パターン５２１と支持部２３のシャーシ１と反対側の面が直接接触させることで、接地パターン５２１と支持部２３とを精度良く導通状態になるように接続することが可能である。さらに、ボルトＢｔに導電性を有しないもの、電気抵抗が高く導電性の低いもの等を利用することができるとともに、固定部材をボルト締めに頼らなくても、例えば樹脂製の割りピン、スクリューリベット等の導電性を備えない部材も採用することができ、それだけ、部品の選択の幅が広がる。
【００４０】
さらに、第２ジャック４ｂをプリント基板５のシャーシ１と反対側になるように取り付けるので、第２ジャック４ｂを第１ジャック９４の形状と同一のもの、すなわち、第１ジャック９４及び第２ジャック４ｂの形状を統一することができるので、それだけ、部品の作製、製造にかかる手間、時間及びコストを削減することができる。
【００４１】
上記実施例では、連結部２１、リブ部２２及び支持部２３はリアパネル２の一部を折り曲げることで一体的に形成されるものであるが、それに限定されるものではなく、リアパネル２と連結部２１、連結部２１とリブ部２２及びリブ部２２と支持部２３をそれぞれ互いに導通状態になるように接続するものを広く採用することができる。
【００４２】
上記実施例では、電子機器としてＶＴＲ一体型ＤＶＤレコーダを例に説明しているが、それに限定されるものではなく、外部機器と接続することができるジャックを備えたＤＶＤ、ＶＴＲ、ＴＶ等の電子機器を広く挙げることができる。また、ジャックとしては２１ピンのジャックを例に説明しているが、それに限定されるものではなく、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ジャック、ＤＶＩジャック等、ケーブルと接続し、外部機器と信号のやり取りを行うジャックを広く採用することができる。
【産業上の利用可能性】
【００４３】
本発明は、外部機器と接続することができるジャックを備えたＤＶＤ、ＶＴＲ、ＴＶ等の電子機器において適用することができる。
【図面の簡単な説明】
【００４４】
【図１】ＶＴＲ一体型ＤＶＤレコーダの斜視図である。
【図２】本発明にかかるＶＴＲ一体型ＤＶＤレコーダ背面図である。
【図３】図２に示すＶＴＲ一体型ＤＶＤレコーダの断面図である。
【図４】図２に示すＶＴＲ一体型ＤＶＤレコーダの要部を拡大した平面図である。
【図５】本発明にかかるＶＴＲ一体型ＤＶＤレコーダの他の例の背面図である。
【図６】従来のＶＴＲ一体型ＤＶＤレコーダの背面図である。
【符号の説明】
【００４５】
１  シャーシ
１０  上面パネル
２  リアパネル
２１  連結部
２２  リブ部
２３  支持部
２３１  雌ねじ
２４  第１ジャック孔
２５  第２ジャック孔
３  メイン基板
４  第２ジャック
４１  ケース
４２  ピン
４３  端子
４３１  接地端子
５  プリント基板
５１  スルーホール
５２  配線パターン
５２１  接地パターン
５３  係合部
５４  ボルト孔
６  ＶＴＲユニット
７  ＤＶＤユニット
【図１】
2007188562.tif 000003
【図２】
2007188562.tif 000004
【図３】
2007188562.tif 000005
【図４】
2007188562.tif 000006
【図５】
2007188562.tif 000007
【図６】
2007188562.tif 000008